(57)【要約】【課題】振動減衰機能を有する流体の封入により常時膨らみ出されたクッション体を、長期に亘り、できる限り損耗などさせ難いようにする。【解決手段】筒状ケース体１の一方の筒口１０から外方に張り出す張り出し部２０を持つように筒状ケース体１に組み付けられたクッション体２と、ダンパー具内に充填封入された振動減衰機能を有する流体４とを備えている。クッション体２には、頭部１０２と顎部１０５と頸部１０８とを備えた支持用突部１０１の外郭形状に倣った内部形状を備えると共に、クッション体２の張り出し部２０において外方に開放されたはめ込み凹部２１が形成されている。支持用突部１０１がダンパー具内にもっとも押し込まれた一振動作用状態において、はめ込み凹部２１における支持用突部１０１の顎部１０５の角１０６に接する箇所２１ｂが、筒状ケース体１の一方の筒口１０縁よりも外方に位置されるようにしてある。【選択図】　　　図１
2004052858.tif 000002
【特許請求の範囲】
【請求項１】
二つの部材の一方に設けられる支持用突部のはめ込み凹部と、この二つの部材の他方への取付部を有し、この二つの部材を、一方の部材に作用される振動が他方の部材に伝わり難い状態で、又は、他方の部材に作用される振動が一方の部材に伝わり難い状態で、組み付け合わせるダンパー具であって、
前記取付部を備えた筒状ケース体と、
この筒状ケース体の一方の筒口を覆い、かつ、この一方の筒口から外方に張り出す張り出し部を持つように、この筒状ケース体に組み付けられたゴム又はゴム状弾性を備えたプラスチックからなるクッション体と、
このクッション体の張り出し部を常時膨らみ出させるように、ダンパー具内に充填封入された振動減衰機能を有する流体とを備えており、
前記クッション体には、頭部と顎部と頸部とを備えた支持用突部の外郭形状に倣った内部形状を備えると共に、このクッション体の張り出し部において外方に開放された前記はめ込み凹部が形成されていると共に、
支持用突部がダンパー具内にもっとも押し込まれた一振動作用状態において、はめ込み凹部におけるこの支持用突部の顎部の角に接する箇所が、筒状ケース体の一方の筒口縁よりも外方に位置されるようにしてあることを特徴とするダンパー具。
【請求項２】
筒状ケース体がプラスチックにより構成されていると共に、この筒状ケース体を金型内に配してなす射出成形によりクッション体を成形させて、
又は、クッション体を金型内に配してなす射出成形により筒状ケース体を成形させて、
筒状ケース体にクッション体が組み付けられていることを特徴とする請求項１記載のダンパー具。
【請求項３】
クッション体が、筒状ケースにおける一方の筒口を巡る筒端面に接する周回鍔部と、筒状ケースにおける他方の筒口を巡る筒端面に接する周回鍔部とを備えていることを特徴とする請求項１又は請求項２記載のダンパー具。
【請求項４】
流体が筒状ケース体における他方の筒口から充填されると共に、この流体の充填後にこの他方の筒口を液密状態に塞ぐ蓋体を備えており、
この蓋体の内面が、蓋体の中央部から蓋体の外縁部に向かうに連れて低まる傾斜面となっていることを特徴とする請求項１又は請求項２記載のダンパー具。
【請求項５】
流体が筒状ケース体における他方の筒口から充填されると共に、この流体の充填後にこの他方の筒口を液密状態に塞ぐ蓋体を備えており、
この蓋体は筒状ケース体と溶着可能なプラスチックにより構成されており、
クッション体は、張り出し部と反対の側を開放部とした袋状をなすように構成されていると共に、
この開放部に筒状ケース体における他方の筒口を巡る筒端面に接する周回鍔部を備えており、
この蓋体の外縁部と筒状ケース体の他方の筒口を巡る筒端面とによってクッション体の周回鍔部を押し潰させた状態で、蓋体の外縁部と筒状ケース体の筒端面とが周回鍔部の末端の先で溶着されていることを特徴とする請求項１又は請求項２記載のダンパー具。
【発明の詳細な説明】
【０００１】
【発明の属する技術分野】
この発明は、二つの部材を、一方の部材に作用される振動が他方の部材に伝わり難い状態で、又は、他方の部材に作用される振動が一方の部材に伝わり難い状態で、組み付け合わせるために用いられるダンパー具の改良に関する。
【０００２】
【従来の技術】
二つの部材の一方に設けられる支持用突部のはめ込み凹部と、この二つの部材の他方への取付部を有し、この二つの部材を、一方の部材に作用される振動が他方の部材に伝わり難い状態で、又は、他方の部材に作用される振動が一方の部材に伝わり難い状態で、組み付け合わせるダンパーとして、公開実用新案公報所載の実開平６−２６０９８や、実開平４−１１７２３４に示されるものがある。
【０００３】
これらのダンパーは、ゴム製のクッション体の内方に粘性流体を封入すると共に、このクッション体に前記はめ込み凹部を形成させている。はめ込み凹部は、頭部と顎部と頸部とを備えた支持用突部の外郭形状にならった内部形状を有しており、はめ入れられた支持用突部の顎部にはめ込み凹部を掛合させるようになっている。はめ込み凹部を構成する部分は、支持用突部の軸線に沿った側壁に対し薄肉の周回連接部を介して連接されている。二つの部材の一方、あるいは、他方、あるいは、双方に振動が作用されると、支持用突部がダンパー具内において移動あるいは相対的に移動されることとなるが、前記粘性流体の作用によりこの移動に制動が付与され、結果として前記振動が減衰される。
【０００４】
【発明が解決しようとする課題】
しかるに、従来のこの種のダンパーは、支持用突部がもっともダンパー内に押し込まれた場合に、前記はめ込み凹部におけるこの支持用突部の顎部の角に接する箇所が前記側壁の内方に入り込んでしまうものであった。このため、従来のこの種のダンパーにあっては、このように支持用突部がもっともダンパー内に押し込まれた状態において併せてこの支持用突部をその軸線に交叉する向きに移動させるような振動が作用されると、支持用突部の顎部の先と側壁とによってクッション体の一部を強く挟み付けてしまうものであり、これにより、クッション体に経時的な損耗などを生じさせ易い傾向を持つものであった。
【０００５】
クッション体におけるはめ込み凹部を構成する部分の外面と側壁との間の粘性流体によって充たされた空間を大きくすれば、前記のような挟み付けを生じさせ難くはできるが、これはダンパー具の大型化を招く不都合を生じさせる。
【０００６】
そこでこの発明は、この種のダンパー具において、振動減衰機能を有する流体の封入により常時膨らみ出されたクッション体を、長期に亘り、できる限り損耗などさせ難いようにすることを主たる目的とする。
【０００７】
【課題を解決するための手段】
前記目的を達成するために、請求項１記載の発明にあっては、ダンパー具が以下の（１）〜（６）の構成を備えたものとした。
（１）二つの部材の一方に設けられる支持用突部のはめ込み凹部と、この二つの部材の他方への取付部を有し、この二つの部材を、一方の部材に作用される振動が他方の部材に伝わり難い状態で、又は、他方の部材に作用される振動が一方の部材に伝わり難い状態で、組み付け合わせるダンパー具であって、
（２）前記取付部を備えた筒状ケース体と、
（３）この筒状ケース体の一方の筒口を覆い、かつ、この一方の筒口から外方に張り出す張り出し部を持つように、この筒状ケース体に組み付けられたゴム又はゴム状弾性を備えたプラスチックからなるクッション体と、
（４）このクッション体の張り出し部を常時膨らみ出させるように、ダンパー具内に充填封入された振動減衰機能を有する流体とを備えており、
（５）前記クッション体には、頭部と顎部と頸部とを備えた支持用突部の外郭形状に倣った内部形状を備えると共に、このクッション体の張り出し部において外方に開放された前記はめ込み凹部が形成されていると共に、
（６）支持用突部がダンパー具内にもっとも押し込まれた一振動作用状態において、はめ込み凹部におけるこの支持用突部の顎部の角に接する箇所が、筒状ケース体の一方の筒口縁よりも外方に位置されるようにしてある。
【０００８】
かかる構成によれば、前記取付部をもって他方の部材にダンパー具を取り付けると共に、前記はめ込み凹部に一方の部材に設けられた支持用突部をはめ込ませることにより、このダンパー具を介して二つの部材を組み付け合わせることができる。
【０００９】
はめ込み凹部は、頭部と顎部と頸部とを備えた支持用突部の外郭形状に倣った内部形状を備えることから、このはめ込み凹部に対して支持用突部は、このはめ込み凹部を押し広げるようにクッション体を弾性変形させながら入れ込まれると共に、このはめ込み凹部に支持用突部を入れ込み切った位置でのクッション体の弾性復帰により、支持用突部の顎部をはめ込み凹部の対応形状部分に引っ掛けることができ、支持用突部のこのはめ込み凹部へのはめ込み状態は安定的に維持される。
【００１０】
このように組み付け合わされる二つの部材の一方若しくは他方、あるいは双方に対して振動が作用された場合、支持用突部はダンパー具内に押し込まれる向きに移動（あるいは相対的に移動）され、あるいは、ダンパー具内から抜き出される向きに移動（あるいは相対的に移動）され、あるいは、支持用突部の軸線に交叉する向きに移動（あるいは相対的に移動）され、あるいは、このような各移動を同時に生じさせるように移動（あるいは相対的に移動）されることとなり、これによりクッション体も弾性変形されるが、このクッション体の弾性変形と、ダンパー具内に充填封入されている前記流体の作用により、このような振動を減衰させることができる。
【００１１】
また、かかるダンパー具にあっては、支持用突部がダンパー具内にもっとも押し込まれた一振動作用状態において、はめ込み凹部におけるこの支持用突部の顎部の角に接する箇所が、筒状ケース体の一方の筒口縁よりも外方に位置されるようにしてあることから、このように押し込まれた支持用突部に同時に支持用突部の軸線に交叉する向きに移動されるような振動が作用されていても、支持用突部の顎部の角と筒状ケース体との間においてクッション体の一部を挟み込むことがない。すなわち、このように押し込まれた支持用突部に同時に支持用突部の軸線に交叉する向きに移動されるような振動が作用されても、はめ込み凹部におけるこの支持用突部の顎部の角に接する箇所は筒状ケース体の外方においてクッション体の一部に押し当てられるに留まる。これによりかかるダンパー具は、こうした振動の作用によってクッション体を傷つけ難く、優れた耐久性を有するものとされる。
【００１２】
また、請求項２記載の発明にあっては、請求項１記載のダンパー具における筒状ケース体がプラスチックにより構成されていると共に、
この筒状ケース体を金型内に配してなす射出成形によりクッション体を成形させて、
又は、クッション体を金型内に配してなす射出成形により筒状ケース体を成形させて、
筒状ケース体にクッション体が組み付けられていることを特徴としている。
【００１３】
かかる構成によれば、筒状ケース体とクッション体とを一体性高く、容易に組み付け合わせることができる。すなわち、筒状ケース体の内面とクッション体の外面とを強固に一体化させることができる。
【００１４】
また、請求項３記載の発明にあっては、請求項１又は請求項２記載のダンパー具におけるクッション体が、筒状ケースにおける一方の筒口を巡る筒端面に接する周回鍔部と、筒状ケースにおける他方の筒口を巡る筒端面に接する周回鍔部とを備えていることを特徴としている。
【００１５】
かかる構成によれば、筒状ケース体とクッション体との接し合う部分ないしは前記射出成形によって一体化される部分を、支持用突部の軸線に交叉する方向においても確保させることができ、この筒状ケース体とクッション体との一体性をより向上させることができる。
【００１６】
また、請求項４記載の発明にあっては、請求項１又は請求項２記載のダンパー具における流体が筒状ケース体における他方の筒口から充填されると共に、この流体の充填後にこの他方の筒口を液密状態に塞ぐ蓋体を備えており、
この蓋体の内面が、蓋体の中央部から蓋体の外縁部に向かうに連れて低まる傾斜面となっていることを特徴としている。
【００１７】
かかる構成によれば、ダンパー具内一杯に前記流体を充填させた後、筒状ケースの他方の筒口をこの蓋体によって塞ぐにあたり、前記傾斜面となっているこの蓋体の内面によってエアを蓋体の外縁部側から逃がし出させながらこの閉塞をなすことができ、閉塞後にダンパー具内にエアができる限り残らないようにすることができる。この結果、ダンパー具の振動減衰性能を予定される性能にできる限り揃えることができる。
【００１８】
また、請求項５記載の発明にあっては、請求項１又は請求項２記載のダンパー具における流体が筒状ケース体における他方の筒口から充填されると共に、この流体の充填後にこの他方の筒口を液密状態に塞ぐ蓋体を備えており、
この蓋体は筒状ケース体と溶着可能なプラスチックにより構成されており、
クッション体は、張り出し部と反対の側を開放部とした袋状をなすように構成されていると共に、
この開放部に筒状ケース体における他方の筒口を巡る筒端面に接する周回鍔部を備えており、
この蓋体の外縁部と筒状ケース体の他方の筒口を巡る筒端面とによってクッション体の周回鍔部を押し潰させた状態で、蓋体の外縁部と筒状ケース体の筒端面とが周回鍔部の末端の先で溶着されていることを特徴としている。
【００１９】
かかる構成によれば、このように押し潰されたクッション体の周回鍔部によって、筒状ケース体と蓋体との間を強固にシールすることができ、ダンパー具内からの前記流体の漏れ出しを確実に阻止することができる。
【００２０】
【発明の実施の形態】
以下、図１ないし図５に基づいて、この発明の典型的な実施の形態について説明する。
【００２１】
なお、ここで図１は、ダンパー具を介して組み付け合わされる二つの部材１００、２００の他方２００にダンパー具を取り付けた状態を、また、図２および図３は、このように取り付けられたダンパー具に二つの部材１００、２００の一方１００に設けられた支持用突部１０１を入れ込ませた二つの部材１００、２００の組み付け合わせ状態をそれぞれ示しており、特に、図３は、振動の作用によりダンパー具内にもっとも支持用突部１０１が押し込まれた状態を示している。また、図４は、ダンパー具を図１の上方から見て、また、図５は、ダンパー具を図１の下方から見て示している。
【００２２】
この実施の形態にかかるダンパー具は、二つの部材１００、２００の一方１００に設けられる支持用突部１０１のはめ込み凹部２１と、この二つの部材１００、２００の他方２００への取付部１２を有し、この二つの部材１００、２００を、一方の部材１００に作用される振動が他方の部材２００に伝わり難い状態で、又は、他方の部材２００に作用される振動が一方の部材１００に伝わり難い状態で、組み付け合わせるために用いられるものである。
【００２３】
かかるダンパー具は、典型的には、精密機器などの振動を嫌う各種の物品を、自動車などの常時振動が作用される車両などに設置するにあたって用いるのに適している。
【００２４】
例えば、かかるダンパー具は、車載用のＤＶＤプレーヤーやコンパクトディスクプレーヤーなどを、自動車のボディ側のパネルなどに対して取り付けるために用いるのに適している。
【００２５】
すなわち、かかるダンパー具は、こうしたＤＶＤプレーヤーなどを前記二つの部材１００、２００の一方１００とし、こうしたパネルなどを前記二つの部材１００、２００の他方２００として、この二つの部材１００、２００を組み付け合わせるものである。あるいはまた、かかるダンパー具は、こうしたＤＶＤプレーヤーなどを前記二つの部材１００、２００の他方２００とし、こうしたパネルなどを前記二つの部材１００、２００の一方１００として、この二つの部材１００、２００を組み付け合わせるものである。
【００２６】
かかるダンパー具は、
（１）筒状ケース体１と、
（２）クッション体２と、
（３）振動減衰機能を有する流体４とを備えている。
【００２７】
筒状ケース体１は、前記他方の部材２００への取付部１２を備えている。
【００２８】
クッション体２は、この筒状ケース体１の一方の筒口１０を覆い、かつ、この一方の筒口１０から外方に張り出す張り出し部２０を持つように、この筒状ケース体１に組み付けられている。かかるクッション体２は、ゴム又はゴム状弾性を備えたプラスチックから構成されている。
【００２９】
また、前記流体４は、このクッション体２の張り出し部２０を常時膨らみ出させるように、ダンパー具内に充填封入されている。こうした流体４としては、グリースやシリコンオイルなどを用いることができる。
【００３０】
また、前記クッション体２には、頭部１０２と顎部１０５と頸部１０８とを備えた支持用突部１０１の外郭形状に倣った内部形状を備えると共に、このクッション体２の張り出し部２０において外方に開放された前記はめ込み凹部２１が形成されている。かかる支持用突部１０１は、前記一方の部材１００に設けられる。
【００３１】
そして、かかる支持用突部１０１がダンパー具内にもっとも押し込まれた一振動作用状態において、はめ込み凹部２１におけるこの支持用突部１０１の顎部１０５の角１０６に接する箇所が、筒状ケース体１の一方の筒口１０縁よりも外方に位置されるようにしてある。
【００３２】
これにより、この実施の形態にかかるダンパー具にあっては、前記取付部１２をもって他方の部材２００にダンパー具を取り付けると共に、前記はめ込み凹部２１に一方の部材１００に設けられた支持用突部１０１をはめ込ませることにより、このダンパー具を介して二つの部材１００、２００を組み付け合わせることができる。
【００３３】
はめ込み凹部２１は、頭部１０２と顎部１０５と頸部１０８とを備えた支持用突部１０１の外郭形状に倣った内部形状を備えることから、このはめ込み凹部２１に対して支持用突部１０１は、このはめ込み凹部２１を押し広げるようにクッション体２を弾性変形させながら入れ込まれると共に、このはめ込み凹部２１に支持用突部１０１を入れ込み切った位置でのクッション体２の弾性復帰により、支持用突部１０１の顎部１０５をはめ込み凹部２１の対応形状部分に引っ掛かけることができ、支持用突部１０１のこのはめ込み凹部２１へのはめ込み状態は安定的に維持される。
【００３４】
このように組み付け合わされる二つの部材１００、２００の一方１００若しくは他方２００、あるいは双方１００、２００に対して振動が作用された場合、支持用突部１０１はダンパー具内に押し込まれる向きに移動（あるいは相対的に移動）され、あるいは、ダンパー具内から抜き出される向きに移動（あるいは相対的に移動）され、あるいは、支持用突部１０１の軸線ｘに交叉する向きに移動（あるいは相対的に移動）され、あるいは、このような各移動を同時に生じさせるように移動（あるいは相対的に移動）されることとなり、これによりクッション体２も弾性変形されるが、このクッション体２の弾性変形と、ダンパー具内に充填封入されている前記流体４の作用により、このような振動を減衰させることができる。
【００３５】
また、かかるダンパー具にあっては、支持用突部１０１がダンパー具内にもっとも押し込まれた一振動作用状態において、はめ込み凹部２１におけるこの支持用突部１０１の顎部１０５の角１０６に接する箇所２１ｂが、筒状ケース体１の一方の筒口１０縁よりも外方に位置されるようにしてあることから、このように押し込まれた支持用突部１０１に同時に支持用突部１０１の軸線ｘに交叉する向きに移動されるような振動が作用されていても、支持用突部１０１の顎部１０５の角１０６と筒状ケース体１との間においてクッション体２の一部を挟み込むことがない。すなわち、このように押し込まれた支持用突部１０１に同時に支持用突部１０１の軸線ｘに交叉する向きに移動されるような振動が作用されても、はめ込み凹部２１におけるこの支持用突部１０１の顎部１０５の角１０６に接する箇所２１ｂは筒状ケース体１の外方においてクッション体２の一部に押し当てられるに留まる。これによりかかるダンパー具は、こうした振動の作用によってクッション体２を傷つけ難く、優れた耐久性を有するものとなっている。
【００３６】
図示の例では、筒状ケース体１は、略円筒状をなすように構成されている。かかる筒状ケース体１は両筒口１０，１１を開放されている。そして、その一方の筒口１０を前記クッション体２の張り出し部２０によって覆われると共に、他方の筒口１１を後述する蓋体３によって液密状態に塞がれるようになっている。
【００３７】
図示の例では、かかる筒状ケース体１の外周部に、前記取付部１２が形成してある。図示の例では、かかる取付部１２は、筒状ケース体１の全周を巡る周回溝１２ａとして構成されている。すなわち、図示の例では、二つの部材１００、２００の他方２００がパネル状をなすように構成されていると共に、この二つの部材１００、２００の他方２００に形成された取付開放部２０１の縁をこの周回溝１２ａに入れ込ませるようにして、この二つの部材１００、２００の他方２００にダンパー具を取り付けるようにしてある。
【００３８】
一方、図示の例では、クッション体２は、外筒部２２と内筒部２３とを有している。
【００３９】
この内筒部２３の内部により、前記はめ込み凹部２１が形成されている。すなわち、内筒部２３は、前記張り出し部２０の側にある筒端を開放させてダンパー具の内方に入り込んだ有底の筒状をなすように構成されている。
【００４０】
外筒部２２は、外筒部２２の内面と内筒部２３の外面との間に、ダンパー具の全周においてそれぞれ、一定の隙間を形成させる内径を持つように構成されている。また、外筒部２２の外径は、筒状ケース体１の内径と等しくなるように構成されている。
【００４１】
また、クッション体２は、かかる外筒部２２の一方の筒端と内筒部２３の開放された筒端との間に亘る、外膨らみの断面ドーム状をなす周回連接部２４を備えている。この周回連接部２４によって、クッション体２は、外筒部２２の他方の筒端側においてのみ開放部２７を持つように構成されている。
【００４２】
そして、図示の例では、このように構成されるクッション体２内に前記流体４が充填され、この流体４の充填後、後述する蓋体３によって筒状ケース体１の他方の筒口１１を閉塞することにより、内部に前記流体４を封入したダンパー具が構成されるようになっている。
【００４３】
図示の例では、内筒部２３は、筒側面を、はめ込み凹部２１に前記のようにはめ込まれる支持用突部１０１の軸線ｘにほぼ平行をなす平坦な面としている。また、外筒部２２および周回連接部２４よりも厚肉となるように構成されている。
【００４４】
また、図示の例では、支持用突部１０１は、頭部先端面１０３をその軸線ｘに直交する面とし、頭部側面１０４をその軸線ｘに平行な面とし、顎部１０５の面１０７をその軸線ｘに直交する面とするように構成されている。この結果、この支持用突部１０１をその軸線ｘに交叉する向きに移動させるような振動が作用された場合には、内筒部２３と外筒部２２とを間に挟んで筒状ケース体１に押し付けられる支持用突部１０１の頭部１０２はこの頭部側面１０４において面的に筒状ケース体１に押し付けられることとなり、一カ所に押し付け力を作用させ難いことから、この点からもクッション体２の損耗などが生じ難くなっている。
【００４５】
内筒部２３内に形成されているはめ込み凹部２１は、かかる支持用突部１０１の外郭形状に倣った内部形状を備えていることから、このはめ込み凹部２１にはめ込まれた支持用突部１０１は、前記顎部１０５の面１０７をこの顎部１０５に接するはめ込み凹部２１の箇所に引っ掛けるようにして、はめ込み凹部２１内に保持される。
【００４６】
図示の例では、このはめ込み凹部２１の入り口２１ａ、すなわち、開放部は、はめ込まれる支持用突部１０１の頸部１０８に倣った形状のこの頸部１０８を保持する箇所から外方に向かうに連れて次第に内径を大きくするように構成されており、このはめ込み凹部２１への支持用突部１０１の入れ込みを行い易くするようになっている。
【００４７】
支持用突部１０１がダンパー具内に押し込まれる向きに移動されると、前記周回連接部２４を弾性変形させながら、内筒部２３も後述する蓋体３側に押し込まれる。かかる内筒部２３は、その閉塞されたはめ込み凹部２１の底部外面をこの蓋体３の内面に押し当てる位置まで押し込まれるようになっており、この押し込み位置が支持用突部１０１がダンパー具内にもっとも押し込まれた状態となる。そして、このダンパー具のはめ込み凹部２１における、支持用突部１０１の顎部１０５の角１０６、すなわち、顎部１０５の面１０７と頭部側面１０４との接し合う隅部に接する箇所２１ｂは、このように支持用突部１０１がもっともダンパー具内に押し込まれた位置においても、筒状ケース体１の一方の筒口１０縁、つまり、クッション体２の張り出し部２０の張り出し側にある筒状ケース体１の筒口１０縁よりも外方、つまり、図３における上方に位置されるようになっている。
【００４８】
また、図示の例にあっては、筒状ケース体１がプラスチックにより構成されていると共に、
この筒状ケース体１を金型内に配してなす射出成形によりクッション体２を成形させて、又は、クッション体２を金型内に配してなす射出成形により筒状ケース体１を成形させて、筒状ケース体１にクッション体２を組み付けさせている。かかる射出成形は、インサート成形、二色成形によりなすことができる。
【００４９】
これにより、筒状ケース体１とクッション体２とを一体性高く、容易に組み付け合わせることができる。すなわち、筒状ケース体１の内面とクッション体２の外面とを強固に一体化させることができる。
【００５０】
図示の例にあっては、クッション体２の外筒部２２の外面と筒状ケース体１の内面とを前記射出成形によって一体化させており、このように一体化されたクッション体２のうち、筒状ケース体１の一方の筒口１０から突き出した部分が前記張り出し部２０となるようにしてある。
【００５１】
また、図示の例にあっては、クッション体２が、筒状ケース体１における一方の筒口１０を巡る筒端面１０ａに接する周回鍔部２５と、筒状ケース体１における他方の筒口１１を巡る筒端面１１ｂに接する周回鍔部２６とを備えている。
【００５２】
具体的には、クッション体２を構成する外筒部２２における張り出し部２０と反対の前記開放部２７を巡るように周回鍔部２６が設けられていると共に、外筒部２２におけるこの張り出し部２０側の筒端側に周回鍔部２５がさらに設けられており、この張り出し部２０側の周回鍔部２５の上方が前記張り出し部２０となるようにしてある。
【００５３】
これにより、図示の例にあっては、筒状ケース体１とクッション体２との接し合う部分ないしは前記射出成形によって一体化される部分を、支持用突部１０１の軸線ｘに交叉する方向においても確保させることができ、この筒状ケース体１とクッション体２との一体性がより高められている。
【００５４】
具体的には、前記支持用突部１０１をダンパー具内に押し込む向きの移動力や抜き出す向きの移動力などが前記振動によって作用される度に、クッション体２は変形されることとなるが、前記周回鍔部２５、２６によって、このクッション体２の変形にかかわらず、筒状ケース体１とクッション体２との接合部分の剥がれ出しを長期間に亘り阻止することができる。
【００５５】
また、図示の例にあっては、前記流体４が筒状ケース体１における他方の筒口１１から充填されると共に、この流体４の充填後にこの他方の筒口１１を液密状態に塞ぐ蓋体３を備えている。
【００５６】
図示の例にあっては、かかる蓋体３は円板状をなすように構成されている。
【００５７】
また、この蓋体３の内面が、蓋体３の中央部から蓋体３の外縁部に向かうに連れて低まる傾斜面３０となっている。
【００５８】
具体的には、図示の例にあっては、蓋体３の内面が、この蓋体３における前記支持用突部１０１の軸線ｘ上にほぼ位置される箇所を頂部とした緩やかな山形状をなすように形成されている。
【００５９】
これにより、図示の例にあっては、筒状ケース体１に前記のように組み付けられたクッション体２内一杯に前記流体４を充填させた後、この筒状ケースの他方の筒口１１をこの蓋体３によって塞ぐにあたり、前記傾斜面３０となっているこの蓋体３の内面によってエアを蓋体３の外縁部側から逃がし出させながらこの閉塞をなすことができ、閉塞後にダンパー具内にエアができる限り残らないようにすることができる。この結果、ダンパー具の振動減衰性能を予定される性能にできる限り揃えることができる。
【００６０】
また、図示の例にあっては、前記蓋体３が筒状ケース体１と溶着可能なプラスチックにより構成されている。
【００６１】
そして、前記のようにクッション体２は、張り出し部２０と反対の側を開放部２７とした袋状をなすように構成されていると共に、この開放部２７に筒状ケース体１における他方の筒口１１を巡る筒端面１１ａに接する周回鍔部２６を備えている。
【００６２】
そして、この蓋体３の外縁部と筒状ケース体１の他方の筒口１１を巡る筒端面１１ａとによってクッション体２の周回鍔部２６を押し潰させた状態で、蓋体３の外縁部と筒状ケース体１の筒端面１１ａとが周回鍔部２６の末端の先で溶着されるようにしてある。
【００６３】
具体的には、蓋体３の内面側であって、その外縁部には、溶着用周回突部３１が形成されており、この溶着用周回突部３１をもって、蓋体３は筒状ケース体１の他方の筒口１１を巡る筒端面１１ａに対し溶着されるようになっている。かかる溶着は、加熱溶着、高周波溶接、超音波溶接、振動溶接などによりなすことができる。
【００６４】
これにより、図示の例にあっては、このように押し潰されたクッション体２の周回鍔部２６によって、筒状ケース体１と蓋体３との間を強固にシールすることができ、ダンパー具内からの前記流体４の漏れ出しを確実に阻止するようになっている。
【００６５】
【発明の効果】
この発明にかかるダンパー具によれば、支持用突部のはめ込み凹部を備え、かつ、振動減衰機能を有する流体の封入により常時膨らみ出されたこのダンパー具を構成するクッション体が、支持用突部のダンパー具内での移動ないしは相対的な移動によって、できる限り損耗などし難いようにすることができる。
【図面の簡単な説明】
【図１】ダンパー具の要部破断側面図
【図２】ダンパー具に支持用突部１０１をはめ込んだ状態におけるダンパー具の要部破断側面図
【図３】ダンパー具に支持用突部１０１をはめ込んだ状態におけるダンパー具の要部破断側面図
【図４】ダンパー具の平面図
【図５】ダンパー具の底面図
【符号の説明】
１００　二つの部材の一方
１０１　支持用突部
１０２　頭部
１０５　顎部
１０８　頸部
２００　二つの部材の他方
１　筒状ケース体
１０　一方の筒口
２　クッション体
２０　張り出し部
２１　はめ込み凹部
２１ｂ　顎部１０５の角１０６に接する箇所
４　流体
【図１】
2004052858.tif 000003
【図２】
2004052858.tif 000004
【図３】
2004052858.tif 000005
【図４】
2004052858.tif 000006
【図５】
2004052858.tif 000007